(57)【特許請求の範囲】
【請求項１】
電源回路および情報の授受を行う情報口を具備し壁に固定される本体モジュールと、本体モジュールの前面側に着脱可能に覆着され、前記電源回路から電力供給を受ける情報入力手段および情報出力手段の少なくとも一方を具備する露出パネルとを備え、露出パネルの背面には、ディップスイッチからなり通信設定を行うための設定スイッチが配設されていることを特徴とする情報通信装置。
【請求項２】
上流側装置との間の第１の信号線が接続される上流側端子部と、下流側装置との間の第２の信号線が接続される下流側端子部とが設けられ、前記設定スイッチは、自己を識別可能とするための識別子の設定を行う識別子設定スイッチを有することを特徴とする請求項１記載の情報通信装置。
【請求項３】
上流側装置との間の第１の信号線が接続される上流側端子部と、下流側装置との間の第２の信号線が接続される下流側端子部と、下流側端子部に下流側装置が接続されていないときにインピーダンス整合をとるための終端回路とが設けられ、前記設定スイッチは、終端回路を上流側端子部に接続するか否かの切り替えを行う終端設定スイッチを有することを特徴とする請求項１または請求項２に記載の情報通信装置。 
【発明の詳細な説明】
【技術分野】
【０００１】
本発明は、壁に取り付けて使用される情報通信装置に関するものである。
【背景技術】
【０００２】
従来から、この種の情報通信装置には、たとえば宅外に設置された相手側装置としてのドアホン子器に対して信号線を用いて接続されることによりインターホンシステムを構築し、相手側装置との間で通信可能となるもの（インターホン親機）などがある（たとえば特許文献１参照）。特許文献１に例示された情報通信装置は、壁内に器体の後部が埋め込まれた形で取り付けられる埋込型の情報通信装置である。
【０００３】
この種の情報通信装置においては、一般的に、通信に関する各種通信設定を行うための設定スイッチが設けられており、情報通信装置の設置作業時などに設定スイッチによる通信設定が行われる。一例として、インターホン副親機のように１台の情報通信装置に対し信号線を介して複数台の情報通信装置を直列に接続可能とする場合には、終端となる情報通信装置においてインピーダンス整合をとるための終端回路の接続・非接続の切り替えを行う終端設定スイッチや、各情報通信装置を個別に識別可能とするための識別子の設定を行う識別子設定スイッチ等が上記設定スイッチに含まれる。
【０００４】
このような設定スイッチ（終端設定スイッチ３９、識別子設定スイッチ４０）は、主として情報通信装置の設置作業時に操作されるものであるから、図９に示すように器体３のうち設置後には触れることのできない部位（図示例では、埋込型の器体３の背面）に配置されていることが多い。これにより、情報通信装置Ａの設置後に、使用者が誤って設定スイッチを操作し通信設定を変更してしまうことを防止することができる。
【０００５】
ところで、この種の情報通信装置Ａに関して、壁に固定される本体モジュールと、本体モジュールの前面側に着脱可能に装着され、本体モジュールに装着された状態で本体モジュールに設けられた接続手段から電力供給を受ける露出パネルとに分割可能とし、本体モジュールを取り付けた後で露出パネルを装着するようにすることが考えられる。この構成の情報通信装置Ａでは、設定スイッチは本体モジュールの背面に配置されることとなる。
【特許文献１】特開平６−２９１８１８号公報
【発明の開示】
【発明が解決しようとする課題】
【０００６】
しかし、本体モジュールと露出パネルとに分割可能な上記構成の情報通信装置Ａにおいては、本体モジュールを壁に取り付けた状態では設定スイッチの設定状況を目視で確認することができないから、作業者が設定を間違ったり設定し忘れたりすることにより、通信設定が適切に為されないおそれがある。
【０００７】
また、本体モジュールの取付後において通信設定が適切に為されていないことが判明すると、作業者は、本体モジュールを壁から取り外して設定スイッチを操作することで再設定を行った上で、本体モジュールを再度壁に取り付ける必要があるので手間がかかる。特に、本体モジュールに接続された電源線や信号線等の配線を一旦外さなければ本体モジュールを壁から取り外すことができない場合には、本体モジュールの着脱作業は非常に面倒である。
【０００８】
本発明は上記事由に鑑みてなされたものであって、本体モジュールを壁から取り外すことなく、設定スイッチの設定状況の目視による確認や設定スイッチの操作を行うことができる情報通信装置を提供することを目的とする。
【課題を解決するための手段】
【０００９】
請求項１の発明は、電源回路および情報の授受を行う情報口を具備し壁に固定される本体モジュールと、本体モジュールの前面側に着脱可能に覆着され、前記電源回路から電力供給を受ける情報入力手段および情報出力手段の少なくとも一方を具備する露出パネルとを備え、露出パネルの背面には、ディップスイッチからなり通信設定を行うための設定スイッチが配設されていることを特徴とする。
【００１０】
この構成によれば、情報通信装置は、壁に固定される本体モジュールと、本体モジュールの前面側に着脱可能に覆着される露出パネルとに分割され、通信設定を行うための設定スイッチが、露出パネルの背面に配設されているので、露出パネルを本体モジュールから脱着することにより、本体モジュールを壁から取り外すことなく、設定スイッチの設定状況の目視による確認や設定スイッチの操作を行うことができる。しかも、露出パネルを装着した状態では、設定スイッチは触れることができない部位に配置されることとなるので、情報通信装置の設置後に、使用者が誤って設定スイッチを操作し通信設定を変更してしまうことを防止できる。また、露出パネルを装着した状態では設定スイッチは外部に露出しないので、設定スイッチに塵埃が付着することを防止できるという利点もある。
【００１１】
請求項２の発明は、請求項１の発明は、上流側装置との間の第１の信号線が接続される上流側端子部と、下流側装置との間の第２の信号線が接続される下流側端子部とが設けられ、前記設定スイッチが、自己を識別可能とするための識別子の設定を行う識別子設定スイッチを有することを特徴とする。
【００１２】
この構成によれば、設定スイッチが、自己を識別可能とするための識別子の設定を行う識別子設定スイッチを有するので、本体モジュールを壁から取り外すことなく、識別子の目視による確認や識別子の設定を行うことができる。
【００１３】
請求項３の発明は、請求項１または請求項２の発明において、上流側装置との間の第１の信号線が接続される上流側端子部と、下流側装置との間の第２の信号線が接続される下流側端子部と、下流側端子部に下流側装置が接続されていないときにインピーダンス整合をとるための終端回路とが設けられ、前記設定スイッチが、終端回路を上流側端子部に接続するか否かの切り替えを行う終端設定スイッチを有することを特徴とする。
【００１４】
この構成によれば、設定スイッチが、終端回路を上流側端子部に接続するか否かの切り替えを行う終端設定スイッチを有するので、本体モジュールを壁から取り外すことなく、終端回路の接続状況の目視による確認や終端回路の接続・非接続の切り替えを行うことができる。
【発明の効果】
【００１５】
本発明は、露出パネルを本体モジュールから脱着することにより、本体モジュールを壁から取り外すことなく、設定スイッチの設定状況の目視による確認や設定スイッチの操作を行うことができるという利点がある。
【発明を実施するための最良の形態】
【００１６】
以下の各実施形態では、図２に示すように、宅外に設置された相手側装置５０としてのドアホン子器に対して通信線Ｌ０を用いてインターホン親機Ａ’を接続することにより構築されるインターホンシステムに使用され、インターホン親機Ａ’に対して接続されるインターホン副親機を情報通信装置Ａの一例として、本発明の情報通信装置Ａの構成を説明する。この情報通信装置Ａは、宅内の壁に取り付けられるものであって、１台のインターホン親機Ａ’に対し信号線Ｌ１，Ｌ２を介して直列に複数台接続可能に構成されている。これにより、各情報通信装置（インターホン副親機）Ａにおいて、相手側装置（ドアホン子器）５０やインターホン親機Ａ’との間で通信が可能となり、さらに情報通信装置Ａ同士の通信も可能となる。
【００１７】
また、この情報通信装置Ａは基本的な構成および機能がインターホン親機Ａ’と共通であって、映像表示部１２を備え、来訪者を撮像するカメラ部５１が設けられた相手側装置５０に接続されることにより、相手側装置５０のカメラ部５１で撮像された映像を表示することができる。なお、相手側装置５０は、カメラ部５１の他、操作入力が可能な操作部５２と、スピーカ５３ａおよびマイクロフォン５３ｂを具備し情報通信装置Ａとの通話時に音声の入出力を行う音声入出力部５３と、音声信号や映像信号の入出力を行う信号処理部５４と、通信線Ｌ０が接続される端子部５５とを有している。
【００１８】
（実施形態１）
本実施形態の情報通信装置Ａは、図３（ａ）に示すように、壁内に後部を収める形で壁に固定される本体モジュールＭと、本体モジュールＭの前面側に着脱可能に装着される露出パネルＰとを備えている。以下では、情報通信装置Ａを図３（ｂ）のように壁に取り付けた状態での上下左右を上下左右として情報通信装置Ａの構成を説明する。
【００１９】
本体モジュールＭは、図３（ａ）に示すように、前面に矩形状の開口部を有する箱状に形成されたボディ１と、ボディ１の前面に覆着されるカバー２とで構成される器体３を備え、種々の電気部品が実装されている回路基板（図示せず）が器体３内に収納された構成を有する。さらに、本体モジュールＭは、商用電源供給用の電源線が接続される電源端子部５（図２参照）と、上流側装置（つまりインターホン親機Ａ’に近い側の装置）との間の第１の信号線Ｌ１が接続される上流側端子部６（図２参照）と、下流側装置（つまりインターホン親機Ａ’から遠い側の装置）との間の第２の信号線Ｌ２を接続可能な下流側端子部７（図２参照）とを器体３から露出させるように背面側に備えている。ここで第１および第２の各信号線Ｌ１，Ｌ２はいずれも２線式であるものとする。ボディ１とカバー２とは、カバー２の上下方向の各端部から後方に突出した結合片８に設けた孔に、ボディ１の上下方向の両端面における前端部に設けた結合爪９をそれぞれ係合させることにより結合される。
【００２０】
露出パネルＰは、前面矩形状の薄箱状に形成されたパネルケース１０を備え、種々の電気部品が実装されている回路基板（図示せず）がパネルケース１０内に収納された構成を有する。さらに、露出パネルＰは、パネルケース１０の前壁の一部に透明な表示窓１１が配設されており、液晶パネルからなる映像表示部１２（図２参照）をパネルケース１０内における表示窓１１の後方に備えている。ここで、パネルケース１０は、前面の左寄りの位置に表示窓１１を有しており、表示窓１１の右方には小孔が多数形成されたスピーカ取付部１３が配設されるとともに、操作部１４（図２参照）を構成する操作ハンドル１５がスピーカ取付部１３の下方に配設されている。さらに、表示窓１１の左下方にはマイク用孔１６が形成され、マイク用孔１６の右方つまり表示窓１１の下方には操作部１４を構成する押釦１７が左右方向に複数個（ここでは２個）列設されている。パネルケース１０内において、スピーカ取付部１３に対応する位置にはスピーカ１８ａ（図２参照）が設けられ、マイク用孔１６に対応する位置にはマイクロフォン１８ｂ（図２参照）が設けられ、スピーカ１８ａおよびマイクロフォン１８ｂは、相手側装置５０やインターホン親機Ａ’との通話時に音声の入出力を行う音声入出力部１８を構成する。
【００２１】
ここで、本実施形態の本体モジュールＭは、壁面からの器体３の突出量を小さく抑え、且つ、一般に普及している埋込型の配線器具との外観上の統一感を出すとともに、取り付けに用いる部材の低コスト化を図るために、壁内に設置された埋込型の配線器具用の埋込ボックスＳＢを用いて壁に取り付けられる。埋込ボックスＳＢは、前面開口の箱状に形成されており、上下方向に対向する一対の内側面には、それぞれ本体モジュールＭを埋込ボックスＳＢに固定する取付ねじ（図示せず）用のねじ孔２１を有した器具固定突起２２が複数個ずつ突設されている。壁面を構成する壁材Ｗにおいて埋込ボックスＳＢに対応する部分には矩形状の施工孔２３が開設される。
【００２２】
本体モジュールＭは、この施工孔２３を通して前方から埋込ボックスＳＢに取り付けられるのであって、器体３が後部を埋込ボックスＳＢ内に収納可能な形状および寸法に形成されている。また、本実施形態では、本体モジュールＭの器体３は１連用の取付枠（図示せず）を２個まで取付可能な埋込ボックスＳＢに対応する大きさに形成されている。ここでいう１連用の取付枠とは、埋込型の配線器具用に規格化されている単位寸法の配線器具を幅方向（上下方向）に３個並べて取付可能な取付枠を意味しており、以下では、１連用の取付枠が左右方向に２個連接された寸法を「２連用」、３個連接された寸法を「３連用」と呼ぶ。すなわち、本実施形態の本体モジュールＭは２連用の埋込ボックスＳＢに取付可能な寸法に設定される。
【００２３】
より具体的に説明すると、本体モジュールＭのカバー２は、上下方向の各端面のそれぞれから互いに離れる向きに延設された一対の取付片２４を連続一体に有する。一対の取付片２４は、カバー２の左右方向の略全長にわたって形成される。各取付片２４には、埋込型の配線器具を埋込ボックスＳＢに固定する際に用いられる取付枠と同様に、取付ねじを挿通するボックス用孔２５がそれぞれ複数個（ここでは２個）ずつ形成されている。なお、各取付片２４はカバー２の他の部位に比較して前方に突出している。
【００２４】
本体モジュールＭと露出パネルＰとのそれぞれには、互いに係合することで本体モジュールＭに露出パネルＰを装着する取付手段が設けられている。本体モジュールＭにおいては、図１（ａ）に示すように下側の取付片２４に設けた引掛孔２７と、上側の取付片２４に設けた取付孔２６とが取付手段として設けられている。引掛孔２７は左右方向に複数個並設されており、取付孔２６は一方のボックス用孔２５の両側に貫設されている。露出パネルＰにおいては、図１（ｂ）に示すように背面側の下端部であって各引掛孔２７に対応する位置からそれぞれ突出し先端部が下方に延長されており、先端部が引掛孔２７に挿入されることで引掛孔２７に引っ掛かる鉤片２９と、背面側の上端部であって各取付孔２６に対応する位置にそれぞれ突設された取付突起３０とが取付手段として設けられている。取付突起３０の先端部には上方に突出する係合爪が設けられており、係合爪は取付突起３０の基端部側ほど取付突起３０からの突出量が大きくなるように上面が傾斜している。
【００２５】
この構成により、本体モジュールＭの引掛孔２７に露出パネルＰの鉤片２９を引っ掛けた状態で、引掛孔２７を支点部として本体モジュールＭの前面の下辺周りで露出パネルＰを回転させるように露出パネルＰの上端部を本体モジュールＭ側に押し付けて、露出パネルＰの取付突起３０を本体モジュールＭの取付孔２６に挿入し、係合爪を取付孔２６に係合させれば、露出パネルＰが本体モジュールＭに装着されることとなる。
【００２６】
また、露出パネルＰは前面が３連用の埋込ボックスＳＢに取付可能な配線器具と同等の大きさに形成され、上下方向の寸法が本体モジュールＭよりやや大きく設定されている。したがって、露出パネルＰは本体モジュールＭの前面を覆う形で装着されることになる。
【００２７】
ここにおいて、情報通信装置Ａの内部回路は、本体モジュールＭと露出パネルＰとに分割して設けられている。
【００２８】
すなわち、本体モジュールＭは、図２に示すように電源端子部５に接続され内部回路に直流電源を供給するＡＣ／ＤＣ電源部（電源回路）３４と、情報の授受を行う情報口としての上流側端子部６および下流側端子部７に接続され音声信号や映像信号の入出力を行う信号処理部３５とを有している。本実施形態では、信号線Ｌ１，Ｌ２に音声信号と映像信号とが多重化されて伝送されており、そのため信号処理部３５には多重化された音声信号と映像信号とを分離する多重分離部が設けられている。ＡＣ／ＤＣ電源部３４は電源スイッチＳＷ（図３（ａ）参照）を具備しており、電源端子部５に電源線が接続されている状態では、電源スイッチＳＷのオン時に内部回路に給電し、電源スイッチＳＷのオフ時に内部回路への給電を停止する。電源スイッチＳＷは本体モジュールＭの前面側に露出している。
【００２９】
一方、露出パネルＰは、図２に示すように、音声入出力部１８や映像表示部１２や操作部１４等、情報の入出力を行う手段（情報入力手段および情報出力手段）の他、映像表示部１２に接続され映像信号を復調し映像表示部１２に映像を表示させる全体制御部３６を備えている。さらに露出パネルＰは、ＡＣ／ＤＣ電源部３４から供給される直流電源を受電する受電回路部３７も備えている。受電回路部３７は、全体制御部３６に接続されており、ＡＣ／ＤＣ電源部３４から受けた直流電源を所望の電圧に変換して全体制御部３６に出力する。また、全体制御部３６は音声入出力部１８および操作部１４にも接続されており、音声入出力部１８での音声の入出力を可能にするとともに、操作部１４からの操作入力を受け付けて内部回路の各部の動作を制御する。音声入出力部１８は、全体制御部３６とスピーカ１８ａとの間にスピーカ１８ａへの音声信号を増幅するスピーカアンプ１８ｃを有し、全体制御部３６とマイクロフォン１８ｂとの間にマイクロフォン１８ｂからの音声信号を増幅するマイクアンプ１８ｄを有している。
【００３０】
露出パネルＰは本体モジュールＭを接続するためのパネル側コネクタＣｐ１を有し、本体モジュールＭはパネル側コネクタＣｐ１に接続される本体側コネクタＣｍ１を有し、パネル側コネクタＣｐ１と本体側コネクタＣｍ１とを互いに接続することにより、本体モジュールＭと露出パネルＰとが互いに電気的に接続され、露出パネルＰにはＡＣ／ＤＣ電源部３４から直流電源が供給される。ここに、本体側コネクタＣｍ１には本体モジュールＭ内で信号処理部３５およびＡＣ／ＤＣ電源部３４が接続されており、パネル側コネクタＣｐ１には露出パネルＰ内で全体制御部３６および受電回路部３７が接続されている。
【００３１】
本体側コネクタＣｍ１は、本体モジュールＭの器体３内の回路基板に実装されており、カバー２に設けた孔を通して本体モジュールＭの前面側に露出する。パネル側コネクタＣｐ１は本体モジュールＭに露出パネルＰを装着した状態で本体側コネクタＣｍ１と突き合わされる位置に配設されており、本体モジュールＭに露出パネルＰを装着するだけで本体側コネクタＣｍ１およびパネル側コネクタＣｐ１が互いに接触することにより本体モジュールＭと露出パネルＰとの電気的接続が完了する。したがって、本体モジュールＭに露出パネルＰを装着する作業と本体モジュールＭに露出パネルＰを電気的に接続する作業とを別々に行う場合に比べて、作業性が向上する。
【００３２】
以上説明した構成によれば、情報通信装置Ａは本体モジュールＭと露出パネルＰとに分割されているので、本体モジュールＭを共通の仕様としておくことにより、露出パネルＰのみの交換で情報通信装置Ａの機能（たとえば映像表示部１２の画面サイズなど）を容易に変更することが可能となる。
【００３３】
ところで、本実施形態の情報通信装置Ａは、上流側装置を接続する上流側端子部６と下流側装置を接続する下流側端子部７とを具備し、１台のインターホン親機Ａ’に対し直列に複数台接続できるように構成されている。ここで、各系統の終端となる情報通信装置Ａにおいては、インピーダンス整合をとるため、図２に示すように上流側端子部６に終端回路３８としてのインピーダンス素子（ここでは抵抗）を接続する必要がある。本実施形態では、終端回路３８の接続・非接続を設定するための構成として、終端回路３８を上流側端子部６に接続するか否かの切り替えを行う終端設定スイッチ３９を有している。
【００３４】
終端設定スイッチ３９は、本体モジュールＭに設けられており、図１に示すように終端回路３８と上流側端子部６との間に挿入され、終端回路３８と上流側端子部６との間で開閉する接点を有したスライド式のディップスイッチからなる。図１の例では、上流側端子部６を構成する一対の端子間に終端設定スイッチ３９および終端回路３８の直列回路が接続される。要するに、使用者においては、情報通信装置Ａが終端となる（つまり下流側端子部７に下流側装置が接続されていない）場合に、この情報通信装置Ａの終端設定スイッチ３９をオンすることにより上流側端子部６に終端回路３８を接続してインピーダンス整合をとり、一方、情報通信装置Ａが終端でない（つまり下流側端子部７に下流側装置が接続されている）場合、この情報通信端末Ａの終端設定スイッチ３９をオフすることにより上流側端子部６から終端回路３８を切り離すことが可能である。
【００３５】
また、本実施形態では、１台のインターホン親機Ａ’に対して接続された複数台の情報通信装置Ａを通信に関し各別に識別可能とするために、各情報通信装置Ａに個別の識別子（ＩＤ）を設定できる構成を採用している。具体的には、情報通信装置Ａは、識別子を設定するための識別子設定スイッチ４０を具備し、識別子設定スイッチ４０で設定された識別子を自己の識別子として用いるように構成されている。
【００３６】
識別子設定スイッチ４０は、露出パネルＰに設けられており、複数種類の識別子の中から任意の識別子を択一的に選択できるように複数の接点を有したスライド式のディップスイッチからなる。この識別子設定スイッチ４０は全体制御部３６に接続されており、全体制御部３６は、識別子設定スイッチ４０の接点出力を受け、識別子設定スイッチ４０にて選択された識別子を自己の識別子として認識する。要するに、使用者においては、情報通信装置Ａの識別子設定スイッチ４０を操作することにより、この情報通信装置Ａの識別子を択一的に決定することが可能である。
【００３７】
ここにおいて、上述した終端設定スイッチ３９および識別子設定スイッチ４０のように、通信に関する通信設定を行うための設定スイッチは、図１に示すように本体モジュールＭの前面と露出パネルＰの背面との少なくとも一方に配設される。すなわち、本体モジュールＭに設けられる終端設定スイッチ３９は、図１（ａ）のように本体モジュールＭの器体３の前面に配置されており、露出パネルＰに設けられる識別子設定スイッチ４０は、図１（ｂ）のように露出パネルＰのパネルケース１０の背面に配置されている。
【００３８】
この構成によれば、露出パネルＰを本体モジュールＭから脱着することにより、本体モジュールＭを壁に取り付けたままであっても、設定スイッチ（終端設定スイッチ３９および識別子設定スイッチ４０）の設定状況の目視による確認や設定スイッチの操作を行うことができる。要するに、本体モジュールＭを壁から取り外すことなく、終端設定スイッチ３９の設定状況（つまり終端回路３８の接続状況）や識別子設定スイッチ４０の設定状況（つまり設定されている識別子）を目視で確認することができ、また、終端回路３８の接続・非接続の切り替えや識別子の変更が可能となる。
【００３９】
しかも、本体モジュールＭに露出パネルＰを装着した状態では、設定スイッチは外部に露出しないので、情報通信装置Ａの設置後に、使用者が誤って設定スイッチを操作し終端回路３８の接続状況や識別子を誤って変更してしまうことを防止することができ、さらに設定スイッチに塵埃が堆積することを防止できる。さらにまた、本体モジュールＭの背面に設定スイッチを配置する構成に比較すると、設定スイッチが配置されている面（ここでは、本体モジュールＭの前面および露出パネルＰの背面）の面積が大きいので、設定スイッチを大型化して操作性を改良することや、設定スイッチで設定可能な項目を増やすことも可能である。
【００４０】
なお、インターホン親機Ａ’は、上述したインターホン副親機としての情報通信装置Ａと基本的な構成および機能が共通であって、終端回路３８と終端設定スイッチ３９と識別子設定スイッチ４０とがない点、および上流側端子部６に代えて相手側装置５０に接続された通信線Ｌ０が接続される信号端子部６’を有する点、下流側端子部７に代えてインターホン副親機（情報通信装置Ａ）に接続された第１の信号線Ｌ１が接続される増設端子部７’を有する点が上記情報通信装置Ａと相違する。
【００４１】
（実施形態２）
本実施形態の情報通信装置Ａは、図４に示すように本体モジュールＭの背面に終端設定スイッチ３９を配設した点が実施形態１の情報通信装置Ａと相違する。
【００４２】
本実施形態の構成によれば、終端設定スイッチ３９に関しては、本体モジュールＭを壁に取り付けた状態で設定状況の目視による確認や操作を行うことはできないものの、露出パネルＰの背面に設けられている識別子設定スイッチ４０に関しては、本体モジュールＭを壁に取り付けたままの状態で設定状況の目視による確認や操作を行うことができる。なお、本体モジュールＭの背面に設けた下流側端子部７に信号線Ｌ２を接続する際には本体モジュールＭを壁から取り外す必要が生じるので、下流側端子部７に信号線Ｌ２を接続する際に併せて終端設定スイッチ４０を操作するようにすればよい。
【００４３】
その他の構成および機能は実施形態１の情報通信装置Ａと同様である。
【００４４】
（実施形態３）
本実施形態の情報通信装置Ａは、図５に示すように終端設定スイッチ３９を本体モジュールＭではなく露出パネルＰに設けた点が実施形態１の情報通信装置Ａと相違する。
【００４５】
本実施形態では、終端設定スイッチ３９に代えて終端回路３８と上流側端子部６との間に挿入された接点ｒｙ１を具備するリレー装置を本体モジュールＭに設け、露出パネルＰに設けた終端設定スイッチ３９の操作に応じて接点ｒｙ１が開閉する構成を採用する。具体的には、終端設定スイッチ３９の接点出力は全体制御部３６に入力されるとともに、本体モジュールＭのリレー装置はパネル側コネクタＣｐ１および本体側コネクタＣｍ１を介して全体制御部３６の出力を受けることで接点ｒｙ１を開閉するように構成されており、終端設定スイッチ３９がオンされたときにリレー装置は全体制御部３６の出力を受けて接点ｒｙ１をオンとする。
【００４６】
ところで、終端設定スイッチ３９は、図６に示すように露出パネルＰのパネルケース１０の背面に識別子設定スイッチ４０と並設される形で配置されている。したがって、露出パネルＰを本体モジュールＭから脱着することにより、本体モジュールＭを壁に取り付けたままであっても、設定スイッチ（終端設定スイッチ３９および識別子設定スイッチ４０）の設定状況の目視による確認や設定スイッチの操作を行うことができる。しかも、本体モジュールＭに露出パネルＰを装着した状態では設定スイッチは外部に露出しないので、情報通信装置Ａの設置後に、使用者が誤って設定スイッチを操作し終端回路３８の接続状況や識別子を誤って変更してしまうことを防止することができる。
【００４７】
その他の構成および機能は実施形態１の情報通信装置Ａと同様である。
【００４８】
（実施形態４）
本実施形態の情報通信装置Ａは、図７に示すように識別子設定スイッチ４０を露出パネルＰではなく本体モジュールＭに設けた点が実施形態１の情報通信装置Ａと相違する。
【００４９】
本実施形態では、識別子設定スイッチ４０は、本体モジュールＭ内で本体側コネクタＣｍ１に接続されており、全体制御部３６は、パネル側コネクタＣｐ１および本体側コネクタＣｍ１を介して識別子設定スイッチ４０の接点出力を受け、識別子設定スイッチ４０にて選択された識別子を自己の識別子として認識する。
【００５０】
ここで、識別子設定スイッチ４０は、本体モジュールＭの器体３の前面に終端設定スイッチ３９と並設される形で配置される。したがって、露出パネルＰを本体モジュールＭから脱着することにより、本体モジュールＭを壁に取り付けたままであっても、設定スイッチ（終端設定スイッチ３９および識別子設定スイッチ４０）の設定状況の目視による確認や設定スイッチの操作を行うことができる。しかも、本体モジュールＭに露出パネルＰを装着した状態では設定スイッチは外部に露出しないので、情報通信装置Ａの設置後に、使用者が誤って設定スイッチを操作し終端回路３８の接続状況や識別子を誤って変更してしまうことを防止することができる。
【００５１】
その他の構成および機能は実施形態１の情報通信装置Ａと同様である。
【００５２】
ところで、上記各実施形態では、本体モジュールＭを埋込型とした情報通信装置Ａについて説明したが、本体モジュールＭは埋込型に限るものではなく、図８に示すように壁面に背面を対向させる形で壁に固定される露出型の本体モジュールＭを備えた情報通信装置Ａに本発明を適用してもよい。
【００５３】
また、上記各実施形態では、インターホン副親機としての情報通信装置Ａに本発明を適用する例を示したが、この例に限るものではなく、たとえば太陽光発電の発電量等の情報を監視して表示する装置など、種々の情報通信装置に本発明を適用することができる。
【図面の簡単な説明】
【００５４】
【図１】本発明の実施形態１の構成を示し、（ａ）は本体モジュールの斜視図、（ｂ）は露出パネルの斜視図である。
【図２】同上の情報通信装置を用いたインターホンシステムの概略システム構成図である。
【図３】同上の構成を示し、（ａ）は分解斜視図、（ｂ）は壁に取り付けた状態の斜視図である。
【図４】本発明の実施形態２に係る本体モジュールの斜視図である。
【図５】同上の情報通信装置を用いたインターホンシステムの概略システム構成図である。
【図６】本発明の実施形態３に係る露出パネルの斜視図である。
【図７】本発明の実施形態４の情報通信装置を用いたインターホンシステムの概略システム構成図である。
【図８】同上の他の構成例を示し、（ａ）は前面側から見た斜視図、（ｂ）は背面側から見た斜視図である。
【図９】従来例を示し、（ａ）は正面図、（ｂ）は背面図である。
【符号の説明】
【００５５】
６  上流側端子部
７  下流側端子部
３４  ＡＣ／ＤＣ電源部（電源回路）
３８  終端回路
３９  終端設定スイッチ（設定スイッチ）
４０  識別子設定スイッチ（設定スイッチ）
Ａ  情報通信装置
Ｌ１  第１の信号線
Ｌ２  第２の信号線
Ｍ  本体モジュール
Ｐ  露出パネル 
【図１】
0005319936.tif 000002
【図２】
0005319936.tif 000003
【図３】
0005319936.tif 000004
【図４】
0005319936.tif 000005
【図５】
0005319936.tif 000006
【図６】
0005319936.tif 000007
【図７】
0005319936.tif 000008
【図８】
0005319936.tif 000009
【図９】
0005319936.tif 000010